(57)【特許請求の範囲】
【請求項１】
ユーザ機器（ＵＥ）によるワイヤレス通信のための方法であって、
第１のチャネルが第１の無線アクセス技術（ＲＡＴ）を介して通信するために使用可能でないことを検出することと、
前記検出に応答して、第２のチャネル上で、前記ＵＥが前記第１のチャネルをもはやサポートしないという指示をネットワークに与えることと、前記指示は、前記ネットワークが前記ＵＥを前記第１のチャネルにリダイレクトしないようにするために、前記ネットワークに、前記ＵＥの能力について前記ＵＥに照会することを行わせる能力更新プロシージャによって与えられる、
を備える、方法。
【請求項２】
第２のチャネル上で通信することに遷移することをさらに備える、請求項１に記載の方法。
【請求項３】
前記遷移することが、前記第２のチャネル上で前記第１のＲＡＴを介して通信することに遷移することを備える、請求項２に記載の方法。
【請求項４】
前記第２のチャネルが、第２のＲＡＴを介して通信するために前記ＵＥによって使用される、請求項２に記載の方法。
【請求項５】
前記第１のＲＡＴがロングタームエボリューション（ＬＴＥ）を備える、請求項１に記載の方法。
【請求項６】
前記第１のチャネルが前記第１のＲＡＴを介して通信するためにもう一度使用可能であることを検出することと、
前記ＵＥが前記第１のチャネルをサポートするという別の指示を前記ネットワークに与えることと、
をさらに備える、請求項１に記載の方法。
【請求項７】
前記別の指示が、能力更新を介して与えられる、請求項６に記載の方法。
【請求項８】
ワイヤレス通信のための装置であって、
第１のチャネルが第１の無線アクセス技術（ＲＡＴ）を介して通信するために使用可能でないことを検出するように構成された処理システムと、
前記検出に応答して、第２のチャネル上で、前記装置が前記第１のチャネルをもはやサポートしないという指示をネットワークに与えるように構成された送信機と、前記指示は、前記指示は、前記ネットワークが前記装置を前記第１のチャネルにリダイレクトしないようにするために、前記ネットワークに、前記装置の能力について前記装置に照会することを行わせる能力更新プロシージャによって与えられる、
を備える、装置。
【請求項９】
前記処理システムが、前記第２のチャネル上で通信することに遷移するようにさらに構成された、請求項８に記載の装置。
【請求項１０】
前記処理システムが、前記第２のチャネル上で前記第１のＲＡＴを介して通信することに遷移することによって遷移するように構成された、請求項９に記載の装置。
【請求項１１】
前記第２のチャネルが、第２のＲＡＴを介して通信するために前記装置によって使用される、請求項９に記載の装置。
【請求項１２】
前記第１のＲＡＴがロングタームエボリューション（ＬＴＥ）を備える、請求項８に記載の装置。
【請求項１３】
前記処理システムは、前記第１のチャネルが前記第１のＲＡＴを介して通信するためにもう一度使用可能であることを検出するようにさらに構成され、前記送信機は、前記装置が前記第１のチャネルをサポートするという別の指示を前記ネットワークに与えるように構成された、請求項８に記載の装置。
【請求項１４】
前記別の指示が、能力更新を介して与えられる、請求項１３に記載の装置。
【請求項１５】
ワイヤレス通信のための装置であって、
第１のチャネルが第１の無線アクセス技術（ＲＡＴ）を介して通信するために使用可能でないことを検出するための手段と、
前記検出に応答して、第２のチャネル上で、前記装置が前記第１のチャネルをもはやサポートしないという指示をネットワークに与えるための手段と、前記指示は、前記ネットワークが前記装置を前記第１のチャネルにリダイレクトしないようにするために、前記ネットワークに、前記装置の能力について前記装置に照会することを行わせる能力更新プロシージャによって与えられる、
を備える、装置。
【請求項１６】
ユーザ機器（ＵＥ）によるワイヤレス通信のための非一時的コンピュータ可読媒体であって、
第１のチャネルが第１の無線アクセス技術（ＲＡＴ）を介して通信するために使用可能でないことを検出することと、
前記検出に応答して、第２のチャネル上で、前記ＵＥが前記第１のチャネルをもはやサポートしないという指示をネットワークに与えることと、前記指示は、前記ネットワークが前記ＵＥを前記第１のチャネルにリダイレクトしないようにするために、前記ネットワークに、前記ＵＥの能力について前記ＵＥに照会することを行わせる能力更新プロシージャによって与えられる、
を行うように実行可能な命令を有する非一時的コンピュータ可読媒体。
【発明の詳細な説明】
【技術分野】
【０００１】
関連出願の相互参照
[0001]本出願は、参照により本明細書に組み込まれる、２０１２年２月２日に出願された「Ｍｅｔｈｏｄｓ  ａｎｄ  Ａｐｐａｒａｔｕｓ  ｆｏｒ  Ｍａｎａｇｉｎｇ  Ｍｏｂｉｌｉｔｙ  ｉｎ  ａ  Ｍｕｌｔｉ−Ｒａｄｉｏ  Ｄｅｖｉｃｅ」と題する米国仮特許出願第６１／５９４，３１８号（代理人整理番号１２１３２０Ｐ１）の利益を主張する。
【０００２】
[0002]本開示のいくつかの態様は、一般に、ワイヤレス通信に関し、より詳細には、複数無線デバイスにおけるモビリティを管理することに関する。
【背景技術】
【０００３】
[0003]ワイヤレス通信ネットワークは、音声、ビデオ、パケットデータ、メッセージング、ブロードキャストデータなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]いくつかの技法は、無線アクセスネットワーク（ＲＡＮ）のいくつかの周波数帯域上での動作のために確立された要件に準拠するワイヤレスデバイス動作モードを与えるように設計されている。１つのそのような技法は、拡張ネットワークのサービスと地理的に重複するサービスを提供するレガシーネットワーク（たとえば、１ｘ無線伝送技術１ｘＲＴＴ、または単に「１ｘ」ネットワーク）からボイスサービスを受信するワイヤレスデバイスを伴う。ボイス呼に関与しないとき、デバイスは、非ボイスデータサービスを取得するために拡張ネットワークに同調し、次の１ｘボイス呼をシグナリングするページング送信について監視する。ボイス呼中に、送信および受信が拡張ネットワークで中断される。したがって、この技法の制限は、ＵＥが１ｘボイスセッションと非ボイスデータセッションとを同時に処理できないということである。
【０００５】
[0005]いくつかのデバイスは、複数のＲＡＮを介して同時に通信することが可能であり得る。これらのデバイスは、１つの受信機を様々なネットワークに同調させなければならないことによって課される制限の多くを回避することが可能であり得る。ただし、場合によっては、モバイルサービス事業者は、デバイスが、いくつかのネットワーク周波数帯域中で同時通信するのを禁止し得る。
【発明の概要】
【０００６】
[0006]本開示のいくつかの態様は、概して、ローカルに禁止されていないチャネルからローカルに禁止されたチャネルへのネットワークトリガ型モビリティ（network-triggered mobility）を処理する複数無線ユーザ機器（ＵＥ）に関する。
【０００７】
[0007]本開示のいくつかの態様は、ＵＥによるワイヤレス通信のための方法を提供する。本方法は、概して、第１のチャネルが第１の無線アクセス技術（ＲＡＴ）を介して通信するために使用可能でないことを検出することと、第２のチャネルから第１のチャネルにリダイレクトするメッセージを受信することと、第１のチャネルが第１のＲＡＴのために使用可能でない１つまたは複数のブロックされたチャネルのセット中にあると決定することと、決定に応答して、１つまたは複数のアクションをとることと、を含む。
【０００８】
[0008]本開示のいくつかの態様は、ＵＥによるワイヤレス通信のための方法を提供する。本方法は、概して、第１のチャネルが第１のＲＡＴを介して通信するために使用可能でないことを検出することと、ＵＥが第１のチャネルをもはやサポートしないという指示をネットワークに与えることと、を含む。いくつかの態様では、本方法は、指示を与える前に第２のチャネル上で通信するように遷移することを含む。
【０００９】
[0009]本開示のいくつかの態様は、ワイヤレス通信のための装置を提供する。本装置は、概して、受信機と処理システムとを含む。処理システムは、概して、第１のチャネルが第１のＲＡＴを介して通信するために使用可能でないことを検出すること、ここで、受信機が、第２のチャネルから第１のチャネルにリダイレクトするメッセージを受信するように構成される、と、第１のチャネルが第１のＲＡＴのために使用可能でない１つまたは複数のブロックされたチャネルのセット中にあると決定することと、決定に応答して、１つまたは複数のアクションをとることと、を行うように構成される。いくつかの態様では、本装置は送信機を含み得る。
【００１０】
[0010]本開示のいくつかの態様は、ワイヤレス通信のための装置を提供する。本装置は、概して、第１のチャネルが第１のＲＡＴを介して通信するために使用可能でないことを検出するように構成された処理システムと、本装置が第１のチャネルをもはやサポートしないという指示をネットワークに与えるように構成された送信機とを含む。いくつかの態様では、本装置は受信機を含み得る。
【００１１】
[0011]本開示のいくつかの態様は、ワイヤレス通信のための装置を提供する。本装置は、概して、第１のチャネルが第１のＲＡＴを介して通信するために使用可能でないことを検出するための手段と、第２のチャネルから第１のチャネルにリダイレクトするメッセージを受信するための手段と、第１のチャネルが第１のＲＡＴのために使用可能でない１つまたは複数のブロックされたチャネルのセット中にあると決定するための手段と、決定に応答して、１つまたは複数のアクションをとるための手段と、を含む。
【００１２】
[0012]本開示のいくつかの態様は、ワイヤレス通信のための装置を提供する。本装置は、概して、第１のチャネルが第１のＲＡＴを介して通信するために使用可能でないことを検出するための手段と、本装置が第１のチャネルをもはやサポートしないという指示をネットワークに与えるための手段と、を備える。
【００１３】
[0013]本開示のいくつかの態様は、ＵＥによるワイヤレス通信のためのコンピュータプログラム製品を提供する。本コンピュータプログラム製品は、概して、第１のチャネルが第１のＲＡＴを介して通信するために使用可能でないことを検出することと、第２のチャネルから第１のチャネルにリダイレクトするメッセージを受信することと、第１のチャネルが第１のＲＡＴのために使用可能でない１つまたは複数のブロックされたチャネルのセット中にあると決定することと、決定に応答して、１つまたは複数のアクションをとることと、を行うように実行可能な命令を有するコンピュータ可読媒体を含む。
【００１４】
[0014]本開示のいくつかの態様は、ＵＥによるワイヤレス通信のためのコンピュータプログラム製品を提供する。本コンピュータプログラム製品は、概して、第１のチャネルが第１のＲＡＴを介して通信するために使用可能でないことを検出することと、ＵＥが第１のチャネルをもはやサポートしないという指示をネットワークに与えることと、を行うように実行可能な命令を有するコンピュータ可読媒体を含む。
【００１５】
[0015]本開示の上述の特徴を詳細に理解することができるように、添付の図面にその一部が示される態様を参照することによって、上記で簡単に要約したより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００１６】
【図１】[0016]本開示の態様による、少なくとも部分的に重複するカバレージを有する２つの異なる無線アクセスネットワーク（ＲＡＮ）と通信するユーザ機器（ＵＥ）を示す図。
【図２】[0017]本開示の態様による、ＵＥ、発展型ノードＢ（ｅＮＢ）、およびモビリティ管理エンティティ（ＭＭＥ）のための例示的なブロック図。
【図３】[0018]リダイレクションプロシージャ中でのＵＥと２つのｅＮＢとの間での従来技術の交換を示す図。
【図４】[0019]本開示の態様による、ローカルに禁止されたＣｈ１にリダイレクトするメッセージを受信した後に構成可能な期間の間ＵＥがＣｈ２をローカルに禁止する、ＵＥと２つのｅＮＢとの間の例示的な交換を示す図。
【図５】[0020]本開示の態様による、所定の間隔内にローカルに禁止されたＣｈ１にリダイレクトする所定の数のメッセージを受信した後に構成可能な期間の間ＵＥがＣｈ２をローカルに禁止する、ＵＥと２つのｅＮＢとの間の例示的な交換を示す図。
【図６】[0021]本開示の態様による、ローカルに禁止されたＣｈ１にリダイレクトするメッセージをＵＥが無視する、ＵＥと２つのｅＮＢとの間の例示的な交換を示す図。
【図７】[0022]本開示の態様による、Ｃｈ１がローカルに禁止されたかどうかをネットワークに通知するＵＥと、２つのｅＮＢとの間の例示的な交換を示す図。
【図８】[0023]本開示の態様による、第２のチャネルから使用不可能な第１のチャネルにリダイレクトするように命令された後に第１のチャネルが使用不可能なチャネルであるという決定を処理するためにＵＥによって実行され得る例示的な動作を示す図。
【図９】[0024]本開示の態様による、ＵＥが使用不可能な第１のチャネルをもはやサポートしないとネットワークに通知するための例示的な動作を示す図。
【発明を実施するための形態】
【００１７】
[0025]本明細書で説明する技法は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）および他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：universal terrestrial radio access）、ｃｄｍａ２０００などの無線アクセス技術（ＲＡＴ）を実装し得る。ＵＴＲＡは、広帯域ＣＤＭＡ（ＷＣＤＭＡ（登録商標））およびＣＤＭＡの他の変形形態を含む。ｃｄｍａ２０００は、ＩＳ−２０００、ＩＳ−９５、およびＩＳ−８５６規格をカバーする。ＩＳ−２０００は、１ｘ無線伝送技術（１ｘＲＴＴ）、ＣＤＭＡ２０００  １Ｘなどとも呼ばれる。ＴＤＭＡネットワークは、モバイル通信用グローバルシステム（ＧＳＭ（登録商標）：global system for mobile communications）、ＧＳＭ進化型高速データレート（ＥＤＧＥ：enhanced data rates for GSM（登録商標） evolution）、またはＧＳＭ／ＥＤＧＥ無線アクセスネットワーク（ＧＥＲＡＮ）などのＲＡＴを実装し得る。ＯＦＤＭＡネットワークは、発展型ＵＴＲＡ（Ｅ−ＵＴＲＡ：evolved UTRA）、ウルトラモバイルブロードバンド（ＵＭＢ：ultra mobile broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などのＲＡＴを実装し得る。ＵＴＲＡおよびＥ−ＵＴＲＡは、ユニバーサルモバイル電気通信システム（ＵＭＴＳ：universal mobile telecommunication system）の一部である。３ＧＰＰ（登録商標）ロングタームエボリューション（ＬＴＥ（登録商標））およびＬＴＥ−Ａｄｖａｎｃｅｄ（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明する技法は、上記のワイヤレスネットワークおよびＲＡＴ、ならびに他のワイヤレスネットワークおよびＲＡＴのために使用され得る。明快にするために、本技法のいくつかの態様について以下ではＬＴＥおよび１ｘＲＴＴに関して説明する。
【００１８】
[0026]図１に、複数のワイヤレスネットワークがユーザ機器（ＵＥ）１１０と通信するための少なくとも部分的に重複するカバレージを有する例示的な展開を示す。発展型ユニバーサル地上波無線アクセスネットワーク（Ｅ−ＵＴＲＡＮ）１２０は、ＬＴＥをサポートし得、いくつかの発展型ノードＢ（ｅＮＢ）１２２と、ユーザ機器デバイス（ＵＥ）のためのワイヤレス通信をサポートすることができる他のネットワークエンティティとを含み得る。各ｅＮＢは、特定の地理的エリアに通信カバレージを与え得る。「セル」という用語は、このカバレージエリアにサービスするｅＮＢおよび／またはｅＮＢサブシステムのカバレージエリアを指すことができる。サービングゲートウェイ（Ｓ−ＧＷ）１２４は、Ｅ−ＵＴＲＡＮ１２０と通信し得、パケットルーティングおよびフォワーディング、モビリティアンカリング、パケットバッファリング、ネットワークトリガ型サービスの開始などの様々な機能を実行し得る。モビリティ管理エンティティ（ＭＭＥ）１２６は、Ｅ−ＵＴＲＡＮ１２０とサービングゲートウェイ１２４と通信し得、モビリティ管理、ベアラ管理、ページングメッセージの配信、セキュリティ制御、認証、ゲートウェイ選択などの様々な機能を実行し得る。ＬＴＥにおけるネットワークエンティティは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）；  Ｏｖｅｒａｌｌ  ｄｅｓｃｒｉｐｔｉｏｎ」と題する３ＧＰＰ  ＴＳ３６．３００に記載されている。
【００１９】
[0027]無線アクセスネットワーク（ＲＡＮ）１３０は、１ｘＲＴＴをサポートし得、いくつかの基地局１３２と、ＵＥのためのワイヤレス通信をサポートすることができる他のネットワークエンティティとを含み得る。モバイル交換センター（ＭＳＣ）１３４は、ＲＡＮ１３０と通信し得、ボイスサービスをサポートし、回線交換呼のルーティングを行い、ＭＳＣ１３４によってサービスされるエリア内に位置するＵＥのモビリティ管理を実行し得る。相互作用機能（ＩＷＦ：inter-working function）１４０は、ＭＭＥ１２６とＭＳＣ１３４との間の通信を可能にし得る。１ｘＲＴＴ中のネットワークエンティティは、３ＧＰＰ２から公に入手可能な文書に記載されている。
【００２０】
[0028]Ｅ−ＵＴＲＡＮ１２０、サービングゲートウェイ１２４、およびＭＭＥ１２６は、ＬＴＥネットワーク１０２の一部であり得る。ＲＡＮ１３０およびＭＳＣ１３４は、１ｘＲＴＴネットワーク１０４の一部であり得る。簡単のために、図１には、ＬＴＥネットワークおよび１ｘＲＴＴネットワーク中のいくつかのネットワークエンティティのみを示す。ＬＴＥおよび１ｘＲＴＴネットワークは、様々な機能およびサービスをサポートし得る他のネットワークエンティティをも含み得る。
【００２１】
[0029]概して、任意の数のワイヤレスネットワークが所与の地理的エリア中に展開され得る。各ワイヤレスネットワークは、特定のＲＡＴをサポートし得、１つまたは複数の周波数上で動作し得る。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間での干渉を回避するために、所与の地理的エリア中の単一のＲＡＴをサポートし得る。
【００２２】
[0030]ＵＥ１１０は、固定でも移動でもよく、移動局（ＭＳ）、端末、アクセス端末、加入者ユニット、局（ＳＴＡ）などと呼ばれることもある。ＵＥ１１０は、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局などであり得る。
【００２３】
[0031]電源投入時に、ＵＥ１１０は、通信サービスを受信することができるワイヤレスネットワークを探索し得る。２つ以上のワイヤレスネットワークが検出された場合、ＵＥ１１０をサービスするために、最高優先順位をもつワイヤレスネットワークが選択され得、サービングネットワークと呼ばれることがある。ＵＥ１１０は、必要な場合、サービングネットワークへの登録を実行し得る。ＵＥ１１０は、次いで、サービングネットワークとアクティブ通信するために接続されたモードで動作し得る。代替的に、ＵＥ１１０は、アクティブ通信がＵＥ１１０によって必要とされない場合、アイドルモードで動作し、サービングネットワークにキャンプオンし得る。
【００２４】
[0032]ＵＥ１１０は、アイドルモードにある間、複数の周波数および／または複数のＲＡＴのセルのカバレージ内に位置し得る。ＬＴＥでは、ＵＥ１１０は、優先順位リストに基づいてキャンプオンするために周波数とＲＡＴとを選択し得る。この優先順位リストは、周波数のセットと、各周波数に関連するＲＡＴと、各周波数に割り当てられた優先順位とを含み得る。たとえば、優先順位リストは、３つの周波数Ｘ、ＹおよびＺを含み得る。周波数Ｘは、ＬＴＥのために使用され得、最高優先順位を有し得、周波数Ｙは、１ｘＲＴＴのために使用され得、最低優先順位を有し得、周波数Ｚも、１ｘＲＴＴのために使用され得、中間優先順位を有し得る。概して、優先順位リストは、ＲＡＴの任意のセットのための任意の数の周波数を含み得、ＵＥロケーションに固有であり得る。ＵＥ１１０は、たとえば、上記の例によって与えられたように、ＬＴＥ周波数が最高優先順位にあり、他のＲＡＴのための周波数がより低い優先順位にある優先順位リストを定義することによって、利用可能なときに、ＬＴＥを選好するように構成され得る。
【００２５】
[0033]ＵＥ１１０は、次のようにアイドルモードで動作し得る。ＵＥ１１０は、標準シナリオにおいて「好適な」セルを見つけることが可能であるか、または緊急シナリオにおいて「許容できる」セルを見つけることが可能であるすべての周波数／ＲＡＴを識別し得、ただし、「好適である」および「許容できる」は、ＬＴＥ規格において指定されている。ＵＥ１１０は、次いで、すべての識別された周波数／ＲＡＴの中で最高優先順位をもつ周波数／ＲＡＴにキャンプオンし得る。ＵＥ１１０は、（ｉ）周波数／ＲＡＴが所定のしきい値においてもはや利用可能でないか、または（ｉｉ）より高い優先順位をもつ別の周波数／ＲＡＴがこのしきい値に達するかのいずれかまで、この周波数／ＲＡＴにキャンプオンしたままであり得る。アイドルモードにあるＵＥ１１０のためのこの動作挙動は、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｕｓｅｒ  Ｅｑｕｉｐｍｅｎｔ  （ＵＥ）  ｐｒｏｃｅｄｕｒｅｓ  ｉｎ  ｉｄｌｅ  ｍｏｄｅ」と題する３ＧＰＰ  ＴＳ３６．３０４に記載されている。
【００２６】
[0034]ＵＥ１１０は、ＬＴＥネットワーク１０２からパケット交換（ＰＳ）データサービスを受信することが可能であり得、アイドルモードにある間にＬＴＥネットワークにキャンプオンし得る。ＬＴＥネットワーク１０２は、ボイスオーバーインターネットプロトコル（ＶｏＩＰ）の制限されたサポートを有し得るか、またはＶｏＩＰのサポートを有し得ず、それは、しばしばＬＴＥネットワークの初期展開の場合であり得る。制限されたＶｏＩＰサポートにより、ＵＥ１１０は、ボイス呼のために別のＲＡＴの別のワイヤレスネットワークに転送され得る。この転送は回線交換（ＣＳ）フォールバックと呼ばれることがある。ＵＥ１１０は、１ｘＲＴＴ、ＷＣＤＭＡ、ＧＳＭなどのボイスサービスをサポートすることができるＲＡＴに転送され得る。ＣＳフォールバックを用いた呼発信の場合、ＵＥ１１０は、初めに、ボイスサービスをサポートし得ないソースＲＡＴ（たとえば、ＬＴＥ）のワイヤレスネットワークに接続されるようになり得る。ＵＥは、このワイヤレスネットワークを用いてボイス呼を発信し得、上位レイヤシグナリングによって、ボイス呼をサポートすることができるターゲットＲＡＴの別のワイヤレスネットワークに転送され得る。ＵＥをターゲットＲＡＴに転送するための上位レイヤシグナリングは、様々なプロシージャ、たとえば、リダイレクションを用いた接続解放、ＰＳハンドオーバなどのためのものであり得る。
【００２７】
[0035]図２に、図１のＵＥ１１０、ｅＮＢ１２２、およびＭＭＥ１２６の様々な構成要素のブロック図を示す。ＵＥ１１０において、エンコーダ２１２は、アップリンク上で送られるべきトラフィックデータとシグナリングメッセージとを受信し得る。エンコーダ２１２は、トラフィックデータとシグナリングメッセージとを処理（たとえば、フォーマット、符号化、およびインターリーブ）し得る。変調器（Ｍｏｄ）２１４は、符号化されたトラフィックデータとシグナリングメッセージとをさらに処理（たとえば、シンボルマッピングおよび変調）し、出力サンプルを与え得る。送信機（ＴＭＴＲ）２２２は、出力サンプルを調整（たとえば、アナログ変換、フィルタ処理、増幅、および周波数アップコンバート）し、アップリンク信号を生成し、アップリンク信号はアンテナ２２４を介してｅＮＢ１２２に送信され得る。
【００２８】
[0036]ダウンリンク上で、アンテナ２２４は、ｅＮＢ１２２および／または他のｅＮＢ／基地局によって送信されたダウンリンク信号を受信し得る。受信機（ＲＣＶＲ）２２６は、アンテナ２２４からの受信信号を調整（たとえば、フィルタ処理、増幅、周波数ダウンコンバート、およびデジタル化）し、入力サンプルを与え得る。本開示のいくつかの態様によれば、追加の受信機は、追加の基地局、たとえば、異なる、重複するネットワークに関連する基地局からの信号に関して同様のプロセスを実行し得る。復調器（Ｄｅｍｏｄ）２１６は、入力サンプルを処理（たとえば、復調）し、シンボル推定値を与え得る。デコーダ２１８は、シンボル推定値を処理（たとえば、デインターリーブおよび復号）し、ＵＥ１１０によって受信された復号されたデータおよびシグナリングメッセージを与え得る。エンコーダ２１２、変調器２１４、復調器２１６、およびデコーダ２１８はモデムプロセッサ２１０によって実装され得る。これらのユニットは、ＵＥ１１０が通信中であるワイヤレスネットワークによって使用されるＲＡＴ（たとえば、ＬＴＥ、１ｘＲＴＴなど）に従って処理を実行し得る。
【００２９】
[0037]コントローラ／プロセッサ２３０は、ＵＥ１１０における動作を指示し得る。コントローラ／プロセッサ２３０はまた、本明細書で説明する技法の他のプロセスを実行または指示し得る。コントローラ／プロセッサ２３０はまた、図３〜図７のＵＥ１１０による処理を実行または指示し得る。メモリ２３２は、ＵＥ１１０のプログラムコードおよびデータを記憶し得る。メモリ２３２はまた、優先順位リストと構成情報とを記憶し得る。
【００３０】
[0038]ｅＮＢ１２２において、送信機／受信機２３８は、ＵＥ１１０および他のＵＥとの無線通信をサポートし得る。コントローラ／プロセッサ２４０は、ＵＥとの通信のための様々な機能を実行し得る。アップリンク上では、ＵＥ１１０からのアップリンク信号が、アンテナ２３６を介して受信され、受信機２３８によって調整され、さらにコントローラ／プロセッサ２４０によって処理されて、ＵＥ１１０によって送られたトラフィックデータおよびシグナリングメッセージが復元され得る。ダウンリンク上では、トラフィックデータおよびシグナリングメッセージが、コントローラ／プロセッサ２４０によって処理され、送信機２３８によって調整されて、ダウンリンク信号が生成され、ダウンリンク信号はアンテナ２３６を介してＵＥ１１０および他のＵＥに送信され得る。コントローラ／プロセッサ２４０はまた、本明細書で説明する技法の他のプロセスを実行または指示し得る。コントローラ／プロセッサ２４０はまた、図３〜図７のｅＮＢ１２２による処理を実行または指示し得る。メモリ２４２は、ｅＮＢ１２２のプログラムコードおよびデータを記憶し得る。通信（Ｃｏｍｍ）ユニット２４４は、ＭＭＥ１２６および／または他のネットワークエンティティとの通信をサポートし得る。
【００３１】
[0039]ＭＭＥ１２６において、コントローラ／プロセッサ２５０は、ＵＥの通信サービスをサポートするために様々な機能を実行し得る。コントローラ／プロセッサ２５０はまた、図３および図４のＭＭＥ１２６による処理を実行または指示し得る。メモリ２５２は、ＭＭＥ１２６のプログラムコードおよびデータを記憶し得る。通信ユニット２５４は、他のネットワークエンティティとの通信をサポートし得る。
【００３２】
[0040]図２に、ＵＥ１１０、ｅＮＢ１２２、およびＭＭＥ１２６の簡略化された設計を示す。一般に、各エンティティは、任意の数の送信機、受信機、プロセッサ、コントローラ、メモリ、通信ユニットなどを含み得る。他のネットワークエンティティも同様の方法で実装され得る。
【００３３】
[0041]本明細書で提示する技法は、呼設定遅延を増加させることができる既存のプロシージャ（たとえば、従来の１ｘ回線交換フォールバック（１ｘＣＳＦＢ））における固有の制限に対処するための改善または最適化と考えられ得る。しかしながら、場合によっては、新しいプロシージャと見なされ得る技法が提示される。
【００３４】
[0042]１つのシナリオでは、マルチモードＵＥは、ネイティブＲＡＴネットワークを介したシグナリングを実行することによって、複数のＲＡＴネットワーク（たとえば、１ｘＲＴＴおよびＬＴＥ）に登録し得る。ＵＥは、次いで、１つのＲＡＮにおいてサービス（ただしアイドル状態）を受信しながら、他のＲＡＮにおいてページ（たとえば、１ｘページ）をリッスンし得る。また、別個の受信機は、ＵＥが、あるＲＡＮにおいてデータトラフィックを受信しながら、別のＲＡＮにおいてページをリッスンすることを可能にし得る。
【００３５】
[0043]場合によっては、１ｘページを受信すると、ＵＥは、ＬＴＥネットワークにおいてＵＥコンテキストの解放を要求するためにメッセージ（たとえば、拡張サービス要求（ＥＳＲ：extended service request）メッセージ）を送り得る。実際に、ＥＳＲは、ＵＥが呼中である間、ＬＴＥネットワークにＵＥへのデータ送信を中断させ得る。これは、ＵＥが、モバイル発信（ＭＯ）ボイス呼またはモバイル着信（ＭＴ）ボイス呼、ショートメッセージングサービス（ＳＭＳ）メッセージ、あるいは１ｘ登録を処理している間、ＬＴＥネットワークがＵＥをページングすることを試みるのを防ぐために役立ち得る。
【００３６】
[0044]したがって、ＥＳＲを送る主要な理由の１つは、ＵＥが１ｘボイス呼上にあるときにＬＴＥ上のＵＥコンテキストを中断することであり得る。したがって、この時間中に着信ＬＴＥデータがある場合、ＬＴＥネットワークは、ＵＥをページングすることによってリソースを浪費しない。ＵＥがそのプロセスを完了した（たとえば、呼が終了した）とき、ＵＥは、データサービスを再開するためにＬＴＥネットワークにトラッキングエリア更新を送り得る。
【００３７】
[0045]ネットワークがこのＥＳＲメッセージにどのように応答するかは、ネットワークがどのように構成されるかに依存し得る。場合によっては、より最近のまたは「更新された」ネットワークは、本明細書で提示するように、呼設定遅延を低減するのを助けるために、ＥＳＲメッセージを解釈することが可能であり得る。ネットワークが単に「従来の」１ｘＣＳＦＢをサポートする場合でも、本明細書で提示する技法は、呼設定遅延を低減するのを助けるために適用され得る。
【００３８】
複数無線デバイスにおけるモビリティの管理
[0046]デュアル無線デバイスは、異なるネットワークにおいて同時に通信しようと試みることに関係する課題を提示する。たとえば、無線のうちの１つ上でのアクティビティが別の無線上の特定の帯域／チャネル上での通信を禁止または劣化させるとＵＥが見なすときはいつでも、ＵＥは、そのような帯域／チャネル上で通信が開始されないようにするためにアクションをとる可能性が高くなり得る。さらに、ＵＥは、通信が劣化されないであろう他の帯域／チャネルから通信が劣化されるであろう帯域／チャネルへのモビリティの適切な処理を保証すべきである。
【００３９】
[0047]以下の説明は、１ｘＲＴＴとＬＴＥ  ＲＡＴとをサポートする例示的なデュアル無線ＵＥの動作に関する。これは、説明のための単なる例である。現在の開示の態様は、他のＲＡＴ組合せにも適用され得る。たとえば、本技法は、ＬＴＥバンド４（Ｂ４）と１ｘＢＣ１における同時動作に対処するために適用され得る。このシナリオでは、ＵＥ上の全地球測位システム（ＧＰＳ）動作が影響を及ぼされ得、および／またはＧＰＳ動作がＬＴＥチャネルに影響を及ぼし得る。ＧＰＳへのこの影響を回避するために、ＬＴＥは電力制限され得る。異なる解決策は、Ｂ４のＬＴＥチャネルを禁止することを伴い得る。この場合、ＬＴＥは、ＧＰＳに影響を及ぼさない別のチャネルに移動され得る。
【００４０】
[0048]図３に、たとえば、ＵＥが１ｘＲＴＴとＬＴＥ  Ｂ４とに同時にキャンプオンするシナリオのためのリダイレクションプロシージャ中にＵＥ１１０と２つのｅＮＢ３０２、３０４との間の従来の交換３００を示す。中央ネットワーク（ＣＮ）３０６（たとえば、Ｅ−ＵＴＲＡＮ１２０）にサービスカバレージを与えると、ｅＮＢ３０２、３０４は、図１および図２に関して上記で説明したｅＮＢ１２２と同様であり得る。ユーザが（たとえば、図３に図示されていない基地局１３２を介して）１ｘＲＴＴ呼を開始すると、ＬＴＥ  Ｂ４上の通信が劣化され得る。
【００４１】
[0049]本開示のいくつかの態様によれば、ＵＥ１１０がチャネル１（Ｃｈ１）上でｅＮＢ１  ３０２によってサービスされている場合、ＵＥは、構成可能な期間の間この帯域上でサービングチャネル（Ｃｈ１）をブロックすることによってＬＴＥ  Ｂ４上でのアクセスをローカルに禁止し得る。ＵＥ１１０は、その後、１ｘＲＴＴ無線が呼に関与する間にその上で通信すべき他の可能な帯域、チャネル、および／またはＲＡＴを探す。たとえば、ＵＥは、ｅＮＢ２  ３０４に接続することができ、３０８において、チャネル２（Ｃｈ２）上で接続されたモードで動作することができる。ｅＮＢ２とＵＥとの間の通信信号強度が（たとえば、距離、干渉などにより）弱い場合、３１０において、ｅＮＢ２のためのモビリティトリガが満たされ、ＵＥは、（たとえば、ｅＮＢ２からの無線リソース制御（ＲＲＣ）接続解放メッセージ３１２の受信によって）別のチャネルにリダイレクトされ得る。ＵＥによってもはやローカルに禁止されていないＣｈ１にＵＥがリダイレクトされる場合、ＵＥは、図３に示すようにｅＮＢ１と再び接続するために、３１４において、ｅＮＢ２への接続を解放し、Ｃｈ１に同調する。
【００４２】
[0050]しかしながら、ＵＥ１１０がブロックされたチャネル（たとえば、Ｃｈ１が依然としてローカルに禁止されている）にリダイレクトされる場合、ＵＥは、禁止されていなかった影響を受けないＬＴＥバンド上でサービスを発見しようと試み得る。残念ながら、どのチャネルが禁止されているかについての知識がない場合、ＬＴＥネットワークは、単に、禁止されたチャネルにＵＥをリダイレクトして戻し得る。したがって、さらに必要とされるのは、禁止されていないチャネルから禁止されたチャネルへのネットワークトリガ型モビリティをＵＥが処理するのに役立ち得、ＵＥが禁止されたチャネルに繰り返しリダイレクトされるのを防げ得る技法および装置である。
【００４３】
[0051]図４〜図７に、本開示の様々な態様による、ＵＥ１１０と２つのｅＮＢ３０２、３０４との間の例示的な交換を示す。（図４の交換４００から始まる）すべてのこれらの例示的な交換では、４０２において、ＵＥ１１０は、第１のＲＡＴとの通信（たとえば、１ｘＲＴＴボイス呼）に関与し得る。これは、複数無線ＵＥにおける（１つまたは複数の）他の無線上での通信に干渉するか、それを劣化させるか、またはそれに影響を及ぼし得、したがって、無線が、第２のＲＡＴ（たとえば、ＬＴＥ）を使用してｅＮＢと通信することができないことがある。例示のための一例として、ランダムアクセスチャネル（ＲＡＣＨ）は、４０４において、Ｃｈ１上でｅＮＢ１  ３０２に達することに失敗し得る。したがって、ＵＥ１１０は、（たとえば、ＵＥが１ｘＲＴＴ呼に関与するということにより）Ｃｈ１がもはや使用可能でないことを検出し得、４０６において、たとえば、構成可能な期間の間Ｃｈ１をローカルに禁止し得る。ＵＥによって維持されるローカルに記憶されるリストまたはブロックされたチャネルのセットにこのローカルに禁止されたチャネルを追加し得る。４０８において、ＵＥ１１０は、異なる帯域、チャネル、および／またはＲＡＴ上でサービスを探索し得、４１０において、第２のＲＡＴ（たとえば、ｅＮＢ２  ３０４を用いるＣｈ２）中の異なる（ブロック解除された）チャネル上でサービスを発見し得る（場合によっては、それにキャンプオンする）。
【００４４】
[0052]詳細には、図４の例示的な交換４００では、ＵＥ１１０は、４１２において、ｅＮＢ２に接続し得、Ｃｈ２上で接続されたモードで動作し得る。ｅＮＢ２とＵＥとの間の通信信号強度が（たとえば、距離、干渉などにより）弱い場合、４１４において、ｅＮＢ２のためのモビリティトリガが満たされ得、ＵＥは、（たとえば、ｅＮＢ２からの無線リソース制御（ＲＲＣ）接続解放メッセージ４１６を受信することによって）Ｃｈ１にリダイレクトされ得る。４１８において、ＵＥは、リダイレクションにもかかわらず、Ｃｈ１がローカルに記憶されるリスト上にあり、したがって、ブロックされたことを検出し得る。したがって、ＵＥは、たとえば、構成可能な期間の間Ｃｈ２をもブロックし得、ローカルに記憶される、ブロックされたチャネルのリストにＣｈ２を追加し得る。このようにして、ローカルに禁止されたチャネル（Ｃｈ１）への単一のリダイレクションによって、ソースチャネル（Ｃｈ２）をも禁止することになる。図示されていないが、所与のブロックされたチャネルについて構成可能な時間が終了すると、ＵＥは、ローカルに記憶されるリストからこの前にブロックされたチャネルを除去し得る。４２０において、ＵＥは再び、異なる帯域、チャネル、および／またはＲＡＴ上でサービスを探し得る。
【００４５】
[0053]図５に示す例示的な交換５００は、図４に関して上記で説明した交換と同様である。ただし、この例では、ＵＥ１１０は、Ｃｈ１への第１のリダイレクション時にＣｈ２を禁止しない。言い換えれば、ＵＥは、リダイレクション命令（たとえば、ＲＲＣ接続解放メッセージ４１６）を受信したことに応答してソースチャネルを禁止しない。代わりに、ＵＥは、５０２において、リダイレクションを（たとえば、リダイレクションなしの）接続解放コマンドとして扱う。
【００４６】
[0054]一定数のリダイレクションの後、ＵＥは最後に、ブロックされたチャネルのリストにＣｈ２を追加し得る。いくつかの態様では、ＵＥは、５０２に示すように、そのようなリダイレクションの数をカウントするためにカウンタ（たとえば、ＲＥＤＩＲ＿ＩＧＮＯＲＥ＿ＣＯＵＮＴ）を増分し得、および／または第１のそのようなリダイレクションがトリガされた時間（たとえば、リダイレクション命令が受信された時間）を記録し得る。ｅＮＢ２への後続の接続はＣｈ２それ自体の上で試みられ得、ＵＥは、５０４において、Ｃｈ２上で接続されたモードで動作し得る。
【００４７】
[0055]ネットワークが、（たとえば、別のＲＲＣ接続解放メッセージ５０６を送ることによって）Ｃｈ１にＵＥをリダイレクトし続け、カウンタが（すべてのカウントに対して固定であるか、またはカウントごとに変化し得る）所定のしきい値を満たすかまたはそれを超える場合、５０８に示すように、ＵＥは、リダイレクションを接続解放としてもう一度扱い得るが、今度は、上記で説明したように、４１８においてＣｈ２もローカルに禁止し得る。場合によっては、リダイレクションが、前のそのようなリダイレクションから（たとえば、第１のリダイレクションから）所定の間隔内に生じる場合にのみカウンタは増分し得る。言い換えれば、そのようなリダイレクションなしにある期間が経過した場合、カウンタはリセットされ得る。このようにして、しきい値を満たすかまたはそれを超える、ローカルに禁止されたチャネル（Ｃｈ１）への複数のリダイレクションによって、ソースチャネル（Ｃｈ２）をも禁止することになる。
【００４８】
[0056]図６に示す例示的な交換６００では、ＵＥ１１０は、Ｃｈ２からＣｈ１へのネットワークリダイレクションを無視し続ける。この例では、６０２において、すべてのそのようなリダイレクションを（たとえば、リダイレクションなしの）接続解放コマンドとして扱い、ＵＥは、Ｃｈ２自体の上で後続の接続を確立し続け得る（それによって、５０４において、Ｃｈ２上で接続されたモードで動作する）。ＵＥが（たとえば、Ｃｈ１のブロッキングを生じる１ｘＲＴＴ呼を終了することによって）Ｃｈ１をクリアすると、ＵＥは、Ｃｈ２からＣｈ１へのリダイレクションに従う（たとえば、リダイレクションをリダイレクションのある接続解放コマンドとして扱う）のを開始し得る。
【００４９】
[0057]この交換６００は、しきい値が無限大であることを除き、図５の例示的な交換５００の特殊な場合として理解され得る。同様に、図４の例示的な交換４００は、図５の例示的な交換５００の特殊な場合として理解され得、しきい値は１（またはソースチャネルがブロックされたチャネルのリストに追加される前にリダイレクションカウントがしきい値を満たすかまたはそれを超えるように設計されているかどうかに応じて、０）である。
【００５０】
[0058]図７に示す例示的な交換７００では、ＵＥ１１０は、（たとえば、４１０において、Ｃｈ２上のサービスを発見した後の）Ｃｈ２への遷移時に、それがＣｈ１をもはやサポートしないことをネットワーク（たとえば、ＣＮ３０６）に通知し得る。これは、たとえば、７０２において、ＵＥが能力更新プロシージャをトリガすることによって達成され得る。たとえば、ＵＥは、７０４において、ＵＥがＣｈ２上でｅＮＢ２と接続されたモードで動作する前に、ｅＮＢ２を介してＵＥの能力についてＵＥ１１０に照会することを第２のＲＡＴ（たとえば、ＬＴＥ）を使用して通信するネットワークに行わせ得る。そうすることにより、ネットワークがＵＥをＣｈ１にリダイレクトしないようになり得る。ＵＥがＣｈ１の禁止をローカルにクリアすると、ＵＥは、Ｃｈ１が現在サポートされていると宣言するために、ネットワークとの能力更新プロシージャを再び開始し得る。
【００５１】
[0059]それの現在の形態でいくつかのネットワーク関連規格において定義されている能力更新プロシージャは、（たとえば、処理オーバーヘッドおよび時間の点で）費用がかかるプロシージャであることに留意されたい。ＵＥは、能力を更新するために切断および再接続し得る。これは、アプリケーションレイヤにおいてインターネットプロトコル（ＩＰ）連続性の損失をもたらし得、いくつかのアプリケーションに悪影響を及ぼし得る。
【００５２】
[0060]図８に、本開示のいくつかの態様による、第２のチャネルから使用不可能な第１のチャネルにリダイレクトするように命令された後に第１のチャネルが使用不可能なチャネルであるという決定を処理するための例示的な動作８００を示す。動作８００は、たとえば、ＵＥによって実行され得る。ＵＥは、少なくとも２つのＲＡＴ（たとえば、第１のＲＡＴと第２のＲＡＴと）を介して通信することが可能であり得る。
【００５３】
[0061]動作は、８０２において開始し、ＵＥは、ＬＴＥなどの第１のＲＡＴを介して通信するために第１のチャネルが使用可能でないことを検出する。たとえば、ＵＥは、第１のＲＡＴを介して通信するために第１のチャネルが使用可能でないことを示すフラグ（たとえば、ローカルに記憶されるフラグ）が設定されていると決定し得る。フラグは、１ｘＲＴＴなどの第２のＲＡＴを介した進行中のアクティビティ（たとえば、ボイス呼、データ受信、重要なシグナリングプロシージャ、または重要なメッセージの受信の存在）についての知識に基づいて設定され得る。そのようなフラグは、（たとえば、ＵＥが通信することが可能な）第２のＲＡＴ中の第１のチャネル上での干渉するアクティビティが原因で、第１のＲＡＴのために第１のチャネルが使用可能でないことを示し得る。いくつかの態様では、ＵＥは、図４〜図７のステップ２ａ〜２ｃにおけるアップリンクＲＡＣＨ障害の場合のように、第１のチャネル上で第１のＲＡＴを使用してネットワークにアクセスしようと試みて失敗した後に、第１のＲＡＴを介して通信するために第１のチャネルが使用可能でないことを検出し得る。他の態様では、ＵＥは、たとえば、無線リンク障害（ＲＬＦ）、システム情報ベース（ＳＩＢ）障害、高いブロッキングレート、および／または低い信号対雑音比（ＳＮＲ）に基づいて第１のチャネルが使用可能でないと決定し得る。
【００５４】
[0062]いくつかの態様によれば、ＵＥは、第２のＲＡＴ（たとえば、１ｘＲＴＴ）を介して通信することが可能であり、第１のチャネルは、第２のＲＡＴによる第１のチャネル上での干渉するアクティビティが原因で、第１のＲＡＴを介して通信するために使用可能でない。他の態様では、第１のチャネルは、第１のチャネルのアクティビティによって影響を及ぼされ得るか、またはそれに影響を及ぼし得る第３のチャネル上での全地球測位システム（ＧＰＳ）アクティビティ（または他のワイヤレスデバイスアクティビティ）が原因で、第１のＲＡＴを介して通信するために使用可能でないことがある。
【００５５】
[0063]いくつかの態様によれば、ＵＥは、１つまたは複数のブロックされたチャネルのセット（たとえば、ローカルに記憶されるリスト）に第１のチャネルを追加し得る。この追加は、第１のチャネルが使用可能でないという８０２における検出に基づいて実行され得る。
【００５６】
[0064]８０４において、ＵＥは、第２のチャネルから第１のチャネルにリダイレクトするメッセージを（たとえば、第１のＲＡＴを介して）受信する。いくつかの態様では、第２のチャネルが第２のＲＡＴ（たとえば、１ｘＲＴＴ）を介して通信するために使用され、一方、他の態様では、第２のチャネルが第１のＲＡＴを介して通信するために使用される。いくつかの態様では、ＵＥは、第１のＲＡＴを介して、（たとえば、図４〜図７に示す１ｘＲＴＴおよびＬＴＥ  ＲＡＴとは異なる）第３のＲＡＴを介して通信するために使用される第２のチャネルから第１のチャネルにリダイレクトするメッセージを受信し得る。いくつかの態様では、第１のチャネルは、ＬＴＥ  ＲＡＴまたは（たとえば、１ｘＲＴＴおよびＬＴＥ  ＲＡＴとは異なる）第３のＲＡＴのうちの１つに対応し得、第２のチャネルは、ＬＴＥ  ＲＡＴと第３のＲＡＴとのうちの残りの１つに対応し得る。
【００５７】
[0065]８０６において、ＵＥは、第１のＲＡＴのために使用可能でない１つまたは複数のブロックされたチャネルのセット中に（たとえば、それのリスト上に）第１のチャネルがあると決定する。８０８において、ＵＥは、８０６における決定に応答して１つまたは複数のアクションをとる。いくつかの態様では、１つまたは複数のアクションは、第２のチャネルから第１のチャネルへの実際のリダイレクションを回避するように設計され得る。
【００５８】
[0066]いくつかの態様によれば、１つまたは複数のアクションをとることは、１つまたは複数のブロックされたチャネルのセットに第２のチャネルを追加することを含む。いくつかの態様では、第２のチャネルは、構成可能な期間の間ブロックされたチャネルのセット中に維持される。そのような態様では、ＵＥは、構成可能な期間が生じた後にブロックされたチャネルのセットから第２のチャネルを除去し得る。いくつかの態様では、ＵＥは、第３のチャネル上の第１のＲＡＴのうちの少なくとも１つを介してまたは第２のＲＡＴを介してサービスを探索し得る。
【００５９】
[0067]いくつかの態様によれば、１つまたは複数のアクションをとることは、第２のチャネルから第１のチャネルにリダイレクトするメッセージをリダイレクションなしの接続解放コマンドとして扱うことを含む。この場合、１つまたは複数のアクションをとることは、第２のチャネルにキャンプオンすることをさらに含み得る。
【００６０】
[0068]いくつかの態様によれば、動作８００は、第２のチャネルから第１のチャネルにリダイレクトする反復されたメッセージを受信したことに応答して、ＵＥがブロックされたチャネルのセットに第２のチャネルを追加することをさらに含む。いくつかの態様では、ＵＥは、第２のチャネルから第１のチャネルにリダイレクトする所定の数のメッセージが所定の間隔内で発生する場合、ブロックされたチャネルのセットに第２のチャネルを追加し得る。いくつかの態様では、メッセージの所定の数は、所定の間隔内のメッセージのカウントごとに変化する。
【００６１】
[0069]いくつかの態様によれば、動作８００は、ＵＥがブロックされたチャネルのセットから第１のチャネルを除去することをさらに含む。この除去の後に、ＵＥは、第２のチャネルから第１のチャネルにリダイレクトするその後受信したメッセージに従い得る。
【００６２】
[0070]図９に、本開示の態様による、ＵＥが使用不可能な第１のチャネルをもはやサポートしないとネットワークに通知するための例示的な動作９００を示す。動作９００は、たとえば、ＵＥによって実行され得る。
【００６３】
[0071]動作９００は、９０２において開始し得、ＵＥは、第１のＲＡＴ（たとえば、ＬＴＥ）を介して通信するために第１のチャネルが使用可能でないことを検出する。
【００６４】
[0072]９０４において、ＵＥは、いくつかの態様では、第２のチャネル上で通信するように随意に遷移し得る。いくつかの態様によれば、第２のチャネルは、第１のＲＡＴを介した通信のために使用され得る。他の態様では、第２のチャネルは、第２のＲＡＴ（たとえば、１ｘＲＴＴ）を介して通信するためにＵＥによって使用され得る。
【００６５】
[0073]９０６において、ＵＥは、ＵＥが第１のチャネルをもはやサポートしないという指示をネットワークに与え得る。ネットワークは、第１のＲＡＴまたは第２のＲＡＴをサポートし得る。いくつかの態様では、この指示は第２のチャネル上で与えられ得るが、他の態様では、この指示は、第１のチャネルまたは別のチャネル上で一緒に与えられ得る。いくつかの態様によれば、指示は能力更新を介して与えられる。能力更新は、ＵＥの能力についてＵＥに照会することをネットワークに行わせ得る。
【００６６】
[0074]いくつかの態様によれば、動作９００は、第１のＲＡＴを介して通信するために第１のチャネルがもう一度使用可能であることを検出することと、ＵＥが第１のチャネルをサポートするという別の指示をネットワークに与えることとをさらに含み得る。能力更新を介して別の指示が与えられ得る。
【００６７】
[0075]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。一般に、図に示された動作がある場合、それらの動作は、対応するカウンターパートのミーンズプラスファンクション構成要素を有し得る。
【００６８】
[0076]たとえば、送信するための手段、与えるための手段、および／または探索するための手段は、図２に示されたＵＥ１１０の送信機２２２および／またはアンテナ２２４などの送信ユニットを備え得る。受信するための手段および／または探索するための手段は、図２に示されたＵＥ１１０の受信機２２６および／またはアンテナ２２４などの受信ユニットを備え得る。検出するための手段、アクションをとるための手段、追加するための手段、除去するための手段、探索するための手段、従うための手段、遷移するための手段、決定するための手段、および／または処理するための手段は、図２に示されたＵＥ１１０のコントローラ／プロセッサ２３０および／またはモデムプロセッサ２１０などの１つもしくは複数のプロセッサを含み得る処理システムを備えるか、またはそれを構成し得る。
【００６９】
[0077]本明細書で使用する「決定」という用語は、多種多様なアクションを包含する。たとえば、「決定」は、計算、算出、処理、導出、調査、探索（たとえば、テーブル、データベースまたは別のデータ構造での探索）、確認などを含み得る。また、「決定」は、受信（たとえば、情報を受信すること）、アクセス（たとえば、メモリ中のデータにアクセスすること）などを含み得る。また、「決定」は、解決、選択、選定、確立などを含み得る。
【００７０】
[0078]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａと、ｂと、ｃと、ａおよびｂと、ａおよびｃと、ｂおよびｃと、ａ、ｂおよびｃとを包含するように意図されている。
【００７１】
[0079]情報および信号は、多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【００７２】
[0080]さらに、本明細書の開示に関連して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課せられた設計的制約に依存する。当業者は、説明された機能を特定の適用例ごとに様々な方法で実装し得るが、そのような実装の決定は、本開示の範囲からの逸脱を生じるものと解釈されるべきではない。
【００７３】
[0081]本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７４】
[0082]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末内に個別構成要素として常駐し得る。
【００７５】
[0083]１つまたは複数の例示的な設計では、説明された機能は、ハードウェア、ソフトウェア、ファームウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコードを搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（ｄｉｓｋ）およびディスク（ｄｉｓｃ）は、コンパクトディスク（ｄｉｓｃ）（ＣＤ）、レーザーディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）およびブルーレイ（登録商標）ディスク（ｄｉｓｃ）を含み、ディスク（ｄｉｓｋ）は、通常、データを磁気的に再生し、ディスク（ｄｉｓｃ）は、データをレーザーで光学的に再生する。したがって、いくつかの態様では、コンピュータ可読媒体は非一時的コンピュータ可読媒体（たとえば、有形媒体）を備え得る。さらに、他の態様の場合、コンピュータ可読媒体は一時的コンピュータ可読媒体（たとえば、信号）を備え得る。上記の組合せもコンピュータ可読媒体の範囲内に含まれるべきである。
【００７６】
[0084]本開示についての以上の説明は、いかなる当業者も本開示を作製または使用することができるように与えられているものである。本開示への様々な修正は当業者には容易に明らかとなり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
[Ｃ１]  ユーザ機器（ＵＥ）によるワイヤレス通信のための方法であって、
第１の無線アクセス技術（ＲＡＴ）を介して通信するために第１のチャネルが使用可能でないことを検出することと、
第２のチャネルから前記第１のチャネルにリダイレクトするメッセージを受信することと、
前記第１のチャネルが、前記第１のＲＡＴのために使用可能でない１つまたは複数のブロックされたチャネルのセット中にあると決定することと、
前記決定に応答して、１つまたは複数のアクションをとることと、
を備える、方法。
[Ｃ２]  前記ＵＥが、少なくとも前記第１のＲＡＴと第２のＲＡＴとを介して通信することが可能である、Ｃ１に記載の方法。
[Ｃ３]  前記第２のチャネルが、第２のＲＡＴを介して通信するために使用される、Ｃ２に記載の方法。
[Ｃ４]  前記１つまたは複数のアクションが、前記第２のチャネルから前記第１のチャネルへの実際のリダイレクションを回避する１つまたは複数のアクションを含む、Ｃ１に記載の方法。
[Ｃ５]  前記第１のＲＡＴがロングタームエボリューション（ＬＴＥ）を備える、Ｃ１に記載の方法。
[Ｃ６]  前記第１のチャネルが前記第１のＲＡＴを介して通信するために使用可能でないことを検出することが、前記第１のチャネルが前記第１のＲＡＴを介して通信するために使用可能でないことを示すフラグが設定されたことを決定することを含む、Ｃ１に記載の方法。
[Ｃ７]  前記第１のチャネルが使用可能でないという前記検出に基づいて、１つまたは複数のブロックされたチャネルの前記セットに前記第１のチャネルを追加することをさらに備える、Ｃ１に記載の方法。
[Ｃ８]  前記第１のチャネルが前記第１のＲＡＴのために使用可能でないことを検出することは、前記第１のチャネル上で前記第１のＲＡＴを使用してネットワークにアクセスしようと試みて失敗することを含む、Ｃ１に記載の方法。
[Ｃ９]  前記ＵＥが、第２のＲＡＴを介して通信することが可能であり、
前記第２のＲＡＴによる前記第１のチャネル上での干渉するアクティビティが原因で、前記第１のチャネルが前記第１のＲＡＴを介して通信するために使用可能でない、Ｃ１に記載の方法。
[Ｃ１０]  前記第１のチャネルのアクティビティによって影響を及ぼされ得るか、または前記第１のチャネルのアクティビティに影響を及ぼし得る第３のチャネル上での全地球測位システム（ＧＰＳ）アクティビティが原因で、前記第１のチャネルが前記第１のＲＡＴを介して通信するために使用可能でない、Ｃ１に記載の方法。
[Ｃ１１]  前記１つまたは複数のアクションが、１つまたは複数のブロックされたチャネルの前記セットに前記第２のチャネルを追加することを備える、Ｃ１に記載の方法。
[Ｃ１２]  前記第２のチャネルが、構成可能な期間の間１つまたは複数のブロックされたチャネルの前記セット中に維持される、Ｃ１１に記載の方法。
[Ｃ１３]  前記構成可能な期間の後に１つまたは複数のブロックされたチャネルの前記セットから前記第２のチャネルを除去することをさらに備える、Ｃ１２に記載の方法。
[Ｃ１４]  第３のチャネル上の前記第１のＲＡＴのうちの少なくとも１つを介してまたは第２のＲＡＴを介してサービスを探索することをさらに備える、Ｃ１１に記載の方法。
[Ｃ１５]  前記１つまたは複数のアクションをとることが、前記第２のチャネルから前記第１のチャネルにリダイレクトする前記メッセージをリダイレクションなしの接続解放コマンドとして扱うことを備える、Ｃ１に記載の方法。
[Ｃ１６]  前記１つまたは複数のアクションをとることが、前記第２のチャネルにキャンプオンすることをさらに備える、Ｃ１５に記載の方法。
[Ｃ１７]  前記第２のチャネルから前記第１のチャネルにリダイレクトするために反復されたメッセージを受信したことに応答して、１つまたは複数のブロックされたチャネルの前記セットに前記第２のチャネルを追加することをさらに備える、Ｃ１５に記載の方法。
[Ｃ１８]  前記第２のチャネルは、前記第２のチャネルから前記第１のチャネルにリダイレクトする所定の数のメッセージが所定の間隔内で発生する場合、１つまたは複数のブロックされたチャネルの前記セットに追加される、Ｃ１７に記載の方法。
[Ｃ１９]  メッセージの前記所定の数が、前記所定の間隔内のメッセージのカウントごとに変化する、Ｃ１８に記載の方法。
[Ｃ２０]  １つまたは複数のブロックされたチャネルの前記セットから前記第１のチャネルを除去することと、
前記除去の後に、前記第２のチャネルから前記第１のチャネルにリダイレクトするために、その後受信したメッセージに従うことと
をさらに備える、Ｃ１５に記載の方法。
[Ｃ２１]  ユーザ機器（ＵＥ）によるワイヤレス通信のための方法であって、
第１の無線アクセス技術（ＲＡＴ）を介して通信するために第１のチャネルが使用可能でないことを検出することと、
前記ＵＥが前記第１のチャネルをもはやサポートしないという指示をネットワークに与えることと、
を備える、方法。
[Ｃ２２]  第２のチャネル上で通信することに遷移することをさらに備える、Ｃ２１に記載の方法。
[Ｃ２３]  前記指示が、前記第２のチャネル上で与えられる、Ｃ２２に記載の方法。
[Ｃ２４]  前記遷移することが、前記第２のチャネル上で前記第１のＲＡＴを介して通信することに遷移することを備える、Ｃ２２に記載の方法。
[Ｃ２５]  前記第２のチャネルが、第２のＲＡＴを介して通信するために前記ＵＥによって使用される、Ｃ２２に記載の方法。
[Ｃ２６]  前記第１のＲＡＴがロングタームエボリューション（ＬＴＥ）を備える、Ｃ２１に記載の方法。
[Ｃ２７]  前記指示が、能力更新を介して与えられる、Ｃ２１に記載の方法。
[Ｃ２８]  前記能力更新が、前記ネットワークに、前記ＵＥの能力について前記ＵＥに照会することを行わせる、Ｃ２７に記載の方法。
[Ｃ２９]  前記第１のチャネルが前記第１のＲＡＴを介して通信するためにもう一度使用可能であることを検出することと、
前記ＵＥが前記第１のチャネルをサポートするという別の指示を前記ネットワークに与えることと、
をさらに備える、Ｃ２１に記載の方法。
[Ｃ３０]  前記別の指示が、能力更新を介して与えられる、Ｃ２９に記載の方法。
[Ｃ３１]  ワイヤレス通信のための装置であって、
受信機と、
第１の無線アクセス技術（ＲＡＴ）を介して通信するために第１のチャネルが使用可能でないことを検出すること、ここで、前記受信機が、第２のチャネルから前記第１のチャネルにリダイレクトするメッセージを受信するように構成される、と、
前記第１のチャネルが前記第１のＲＡＴのために使用可能でない１つまたは複数のブロックされたチャネルのセット中にあると決定することと、
前記決定に応答して、１つまたは複数のアクションをとることと、
を行うように構成された処理システムと
を備える、装置。
[Ｃ３２]  前記装置が、少なくとも前記第１のＲＡＴと第２のＲＡＴとを介して通信することが可能である、Ｃ３１に記載の装置。
[Ｃ３３]  前記第２のチャネルが、第２のＲＡＴを介して通信するために使用される、Ｃ３２に記載の装置。
[Ｃ３４]  前記１つまたは複数のアクションが、前記第２のチャネルから前記第１のチャネルへの実際のリダイレクションを回避する１つまたは複数のアクションを含む、Ｃ３１に記載の装置。
[Ｃ３５]  前記第１のＲＡＴがロングタームエボリューション（ＬＴＥ）を備える、Ｃ３１に記載の装置。
[Ｃ３６]  前記処理システムは、前記第１のチャネルが前記第１のＲＡＴを介して通信するために使用可能でないことを示すフラグが設定されたことを決定することによって、前記第１のチャネルが前記第１のＲＡＴを介して通信するために使用可能でないことを検出するように構成された、Ｃ３１に記載の装置。
[Ｃ３７]  前記処理システムが、前記第１のチャネルが使用可能でないという前記検出に基づいて１つまたは複数のブロックされたチャネルの前記セットに前記第１のチャネルを追加するようにさらに構成された、Ｃ３１に記載の装置。
[Ｃ３８]  前記処理システムが、前記第１のチャネル上で前記第１のＲＡＴを使用してネットワークにアクセスしようと試みて失敗することによって、前記第１のチャネルが前記第１のＲＡＴのために使用可能でないことを検出するように構成された、Ｃ３１に記載の装置。
[Ｃ３９]  前記装置が、第２のＲＡＴを介して通信することが可能であり、
前記第２のＲＡＴによる前記第１のチャネル上での干渉するアクティビティが原因で、前記第１のチャネルが前記第１のＲＡＴを介して通信するために使用可能でない、Ｃ３１に記載の装置。
[Ｃ４０]  前記第１のチャネルのアクティビティによって影響を及ぼされ得るか、または前記第１のチャネルのアクティビティに影響を及ぼし得る第３のチャネル上での全地球測位システム（ＧＰＳ）アクティビティが原因で、前記第１のチャネルが前記第１のＲＡＴを介して通信するために使用可能でない、Ｃ３１に記載の装置。
[Ｃ４１]  前記１つまたは複数のアクションが、１つまたは複数のブロックされたチャネルの前記セットに前記第２のチャネルを追加することを備える、Ｃ３１に記載の装置。
[Ｃ４２]  前記第２のチャネルが、構成可能な期間の間１つまたは複数のブロックされたチャネルの前記セット中に維持される、Ｃ４１に記載の装置。
[Ｃ４３]  前記処理システムが、前記構成可能な期間の後に１つまたは複数のブロックされたチャネルの前記セットから前記第２のチャネルを除去するようにさらに構成された、Ｃ４２に記載の装置。
[Ｃ４４]  前記処理システムが、第３のチャネル上の前記第１のＲＡＴのうちの少なくとも１つを介してまたは第２のＲＡＴを介してサービスを探索するようにさらに構成された、Ｃ４１に記載の装置。
[Ｃ４５]  前記処理システムが、前記第２のチャネルから前記第１のチャネルにリダイレクトするための前記メッセージを、リダイレクションなしの接続解放コマンドとして扱うことによって、前記１つまたは複数のアクションをとるように構成された、Ｃ３１に記載の装置。
[Ｃ４６]  前記処理システムが、前記第２のチャネルにキャンプオンすることによって、前記１つまたは複数のアクションをとるように構成された、Ｃ４５に記載の装置。
[Ｃ４７]  前記処理システムが、前記第２のチャネルから前記第１のチャネルにリダイレクトするための反復されたメッセージを前記受信機が受信したことに応答して、１つまたは複数のブロックされたチャネルの前記セットに前記第２のチャネルを追加するようにさらに構成された、Ｃ４５に記載の装置。
[Ｃ４８]  前記第２のチャネルは、前記第２のチャネルから前記第１のチャネルにリダイレクトするための所定の数のメッセージが所定の間隔内で前記受信機によって受信される場合、１つまたは複数のブロックされたチャネルの前記セットに追加される、Ｃ４７に記載の装置。
[Ｃ４９]  メッセージの前記所定の数が、前記所定の間隔内のメッセージのカウントごとに変化する、Ｃ４８に記載の装置。
[Ｃ５０]  前記処理システムが、
１つまたは複数のブロックされたチャネルの前記セットから前記第１のチャネルを除去することと、
前記除去の後に、前記第２のチャネルから前記第１のチャネルにリダイレクトするためにその後受信したメッセージに従うことと、
を行うようにさらに構成された、Ｃ４５に記載の装置。
[Ｃ５１]  ワイヤレス通信のための装置であって、
第１のチャネルが第１の無線アクセス技術（ＲＡＴ）を介して通信するために使用可能でないことを検出するように構成された処理システムと、
前記装置が前記第１のチャネルをもはやサポートしないという指示をネットワークに与えるように構成された送信機と、
を備える、装置。
[Ｃ５２]  前記処理システムが、第２のチャネル上で通信することに遷移するようにさらに構成された、Ｃ５１に記載の装置。
[Ｃ５３]  前記指示が、前記第２のチャネル上で与えられる、Ｃ５２に記載の装置。
[Ｃ５４]  前記処理システムが、前記第２のチャネル上で前記第１のＲＡＴを介して通信することに遷移することによって遷移するように構成された、Ｃ５２に記載の装置。
[Ｃ５５]  前記第２のチャネルが、第２のＲＡＴを介して通信するために前記装置によって使用される、Ｃ５２に記載の装置。
[Ｃ５６]  前記第１のＲＡＴがロングタームエボリューション（ＬＴＥ）を備える、Ｃ５１に記載の装置。
[Ｃ５７]  前記指示が、能力更新を介して与えられる、Ｃ５１に記載の装置。
[Ｃ５８]  前記能力更新が、前記装置の能力について前記装置に照会することを前記ネットワークに行わせる、Ｃ５７に記載の装置。
[Ｃ５９]  前記処理システムは、前記第１のチャネルが前記第１のＲＡＴを介して通信するためにもう一度使用可能であることを検出するようにさらに構成され、前記送信機は、前記装置が前記第１のチャネルをサポートするという別の指示を前記ネットワークに与えるように構成された、Ｃ５１に記載の装置。
[Ｃ６０]  前記別の指示が、能力更新を介して与えられる、Ｃ５９に記載の装置。
[Ｃ６１]  ワイヤレス通信のための装置であって、
第１のチャネルが第１の無線アクセス技術（ＲＡＴ）を介して通信するために使用可能でないことを検出するための手段と、
第２のチャネルから前記第１のチャネルにリダイレクトするためにメッセージを受信するための手段と、
前記第１のチャネルが前記第１のＲＡＴのために使用可能でない１つまたは複数のブロックされたチャネルのセット中にあると決定するための手段と、
前記決定に応答して、１つまたは複数のアクションをとるための手段と、
を備える、装置。
[Ｃ６２]  ワイヤレス通信のための装置であって、
第１のチャネルが第１の無線アクセス技術（ＲＡＴ）を介して通信するために使用可能でないことを検出するための手段と、
前記装置が前記第１のチャネルをもはやサポートしないという指示をネットワークに与えるための手段と、
を備える、装置。
[Ｃ６３]  ユーザ機器（ＵＥ）によるワイヤレス通信のためのコンピュータプログラム製品であって、
第１のチャネルが第１の無線アクセス技術（ＲＡＴ）を介して通信するために使用可能でないことを検出することと、
第２のチャネルから前記第１のチャネルにリダイレクトするためにメッセージを受信することと、
前記第１のチャネルが前記第１のＲＡＴのために使用可能でない１つまたは複数のブロックされたチャネルのセット中にあると決定することと、
前記決定に応答して、１つまたは複数のアクションをとることとを行うように実行可能な命令を有するコンピュータ可読媒体を備える、コンピュータプログラム製品。
[Ｃ６４]  ユーザ機器（ＵＥ）によるワイヤレス通信のためのコンピュータプログラム製品であって、
第１のチャネルが第１の無線アクセス技術（ＲＡＴ）を介して通信するために使用可能でないことを検出することと、
前記ＵＥが前記第１のチャネルをもはやサポートしないという指示をネットワークに与えることとを行うように実行可能な命令を有するコンピュータ可読媒体を備える、コンピュータプログラム製品。
【図１】
0006426218.tif 000002
【図２】
0006426218.tif 000003
【図３】
0006426218.tif 000004
【図４】
0006426218.tif 000005
【図５】
0006426218.tif 000006
【図６】
0006426218.tif 000007
【図７】
0006426218.tif 000008
【図８】
0006426218.tif 000009
【図９】
0006426218.tif 000010